(57)【要約】【課題】  強い地震があってもガスボンベが転倒することなく、しかもガスボンベの交換作業が行いやすいガスボンベ固定具とする。【解決手段】  直立状態の複数本のガスボンベＧＢを固定するガスボンベ固定具であり、２本の立設された支柱２００ＡＬ、２００ＡＲと、支柱２００ＡＬ、２００ＡＲの間に掛け渡された上側及び下側横桟３００ＡＵ、３００ＡＬと、横桟３００ＡＵ、３００ＡＬに着脱可能に取り付けられる板材からなる上側及び下側枠体部４００ＡＵ、４００ＡＬと、上側及び下側枠体部４００ＡＵ、４００ＡＬを上側及び下側横桟３００ＡＵ、３００ＡＬに着脱可能に取り付ける取付手段５００Ａとを備え、上側及び下側枠体部４００ＡＵ、４００ＡＬには、隣接するガスボンベＧＢの間に嵌まり込む略台形状の枠体側支持具３１０ＡＵ、３１０ＡＬが設けられ、取付手段５００Ａは、ボルト５１０Ａ及びこれに対応したナット５２０Ａとして蝶ナットを使用する。【選択図】      図１
2018040466.tif 000002
【特許請求の範囲】
【請求項１】
直立状態の複数本のガスボンベを固定するガスボンベ固定具において、複数本の立設された支柱と、この支柱の間に掛け渡された横桟と、この横桟に着脱可能に取り付けられる板材からなる枠体部と、この枠体部を横桟に着脱可能に取り付ける取付手段とを具備しており、前記枠体部はガスボンベの前面及び側面を支持するものであることを特徴とするガスボンベ固定具。
【請求項２】
直立状態の複数本のガスボンベを固定するガスボンベ固定具において、壁面に固定される横桟と、この横桟に着脱可能に取り付けられる枠体部と、この枠体部を横桟に着脱可能に取り付ける取付手段とを具備しており、前記枠体部はガスボンベの前面及び側面を支持するものであることを特徴とするガスボンベ固定具。
【請求項３】
前記横桟には、手前側に突出し、隣接するガスボンベの間に嵌まり込んでガスボンベの後方側面を支持する後側支持具が設けられていることを特徴とする請求項１又は２記載のガスボンベ固定具。
【請求項４】
前記枠体部には、隣接するガスボンベの間に嵌まり込んでガスボンベの側面を支持する枠体側支持具が設けられていることを特徴とする請求項１、２又は３記載のガスボンベ固定具。
【請求項５】
前記取付手段は、ボルト及びこれに対応したナットであることを特徴とする請求項１、２、３又は４記載のガスボンベ固定具。
【請求項６】
前記ナットは、蝶ナットであることを特徴とする請求項５記載のガスボンベ固定具。
【請求項７】
直立状態の複数本のガスボンベを固定するガスボンベ固定具において、壁面に固定される複数の横桟と、この横桟に設けられて前記ガスボンベを固定する固定手段とを具備しており、前記固定手段は、横桟の中央部分で手前側に突出した状態で設けられる後側支持具と、横桟の両端部で手前側に突出した状態で設けられる一対の端部支持具と、前記後側支持具に取付手段で着脱自在に取り付けられる前側支持具とを有しており、前記後側支持具は隣接するガスボンベの間に嵌まり込んで両ガスボンベの側面を支持し、前記端部支持具はガスボンベの側面を支持し、前記前側支持具は隣接するガスボンベの間に嵌まり込んで両ガスボンベの側面及び前面を支持することを特徴とするガスボンベ固定具。
【請求項８】
前記複数の横桟にそれぞれ設けられる後側支持具は、縦桟で連結されていることを特徴とする請求項７記載のガスボンベ固定具。
【請求項９】
前記横桟には横桟が取り付けられる壁面の段差を吸収する段差吸収部が設けられていることを特徴とする請求項７又は８記載のガスボンベ固定具。
【請求項１０】
前記後側支持具は、横桟にスライド可能に設けられていることを特徴とする請求項７、８又は９記載のガスボンベ固定具。
【請求項１１】
前記端部支持具は、横桟にスライド可能に設けられていることを特徴とする請求項７、８、９又は１０記載のガスボンベ固定具。
【発明の詳細な説明】
【技術分野】
【０００１】
本発明は、ＬＰガス等のガスボンベを固定するガスボンベ固定具に関する。
【背景技術】
【０００２】
一般家庭で使用されるＬＰガス等のガスボンベは、プロパン等の液化石油ガスが格納される。このガスボンベは頭部がドーム状になり、こそにガバナーが設置されている。
かかるガスボンベは、２本一組で設置されることが多い。使用している側のガスボンベのガスがなくなった場合、使用していなかった側のガスボンベに切り換え、ガスがなくなったガスボンベを交換するというサイクルで運用するためである。
【０００３】
このようにして使用されるガスボンベは、屋外に直立状態で設置されるが、不用意に倒れないようにするため、ガスボンベの両サイドに設けられたフックにチェーンを掛けてガスボンベを囲うようにする（特開平０８−３０３６９８号公報）。なお、前記フックは家屋の壁面や専用の支柱に設けられる。このチェーンでガスボンベを囲うタイプのものは、風で揺れたチェーンがガスボンベに接触し、異音を発生させるという問題があった。
この異音発生を防止するため、チェーンの代わりに合成繊維製の幅広ベルトを使用するものもある（特開２００５−０８３５４５号公報）。
【０００４】
【特許文献１】特開平０８−３０３６９８号公報
【特許文献２】特開２００５−０８３５４５号公報
【発明の開示】
【発明が解決しようとする課題】
【０００５】
しかしなから、チェーンを使用するものも幅広ベルトのものも強い地震が発生すると、ガスボンベを支えきれなくなり、チェーンや幅広ベルトの切断してガスボンベが転倒するという問題があった。
【０００６】
本発明は、上記事情に鑑みて創案されたもので、強い地震があってもガスボンベが転倒することなく、しかもガスボンベの交換作業が行いやすいガスボンベ固定具を提供することを目的としている。
【課題を解決するための手段】
【０００７】
本発明に係るガスボンベ固定具は、直立状態の複数本のガスボンベを固定するガスボンベ固定具であって、複数本の立設された支柱と、この支柱の間に掛け渡された横桟と、この横桟に着脱可能に取り付けられる板材からなる枠体部と、この枠体部を横桟に着脱可能に取り付ける取付手段とを有している。
【０００８】
また、本発明に係る他のガスボンベ固定具は、直立状態の複数本のガスボンベを固定するガスボンベ固定具であって、壁面に取り付けられた横桟と、この横桟に着脱可能に取り付けられる枠体部と、この枠体部を横桟に着脱可能に取り付ける取付手段を有している。
【０００９】
さらに、前記横桟には、隣接するガスボンベの間に嵌まり込む後側支持具が設けられているとよい。
また、前記枠体部には、隣接するガスボンベの間に嵌まり込むの枠体側支持具が設けられているとよい。
【００１０】
前記取付手段は、ボルト及びこれに対応したナットであり、前記ナットは蝶ナットであるとよい。
【発明の効果】
【００１１】
本発明に係るガスボンベ固定具は、板状の枠体部でガスボンベを固定するようにしているので、チェーンを使用した場合の風による異音の発生がなく、しかも幅広ベルトを使用したものより強固にガスボンベを固定することができるので、地震の際にも転倒する危険性が格段に低くなる。また、枠体部を横桟に対して着脱可能に取り付けるため、枠体部の取り外しが容易となり、ガスボンベの交換作業が容易になる。
【００１２】
しかも、枠体部を横桟に着脱可能に取り付ける取付手段として、ボルト及びこれに対応したナット、しかも蝶ナットを使用すると、軍手等をはめた手でも工具を使うことなく、ガスボンベの交換作業がさらに容易になる。
【図面の簡単な説明】
【００１３】
【図１】本発明の第１の実施の形態に係るガスボンベ固定具の概略的斜視図である。
【図２】本発明の第１の実施の形態に係るガスボンベ固定具の図面であって、同図（Ａ）は概略的正面図、同図（Ｂ）は概略的右側面図、同図（Ｃ）は概略的平面図である。
【図３】本発明の第１の実施の形態に係るガスボンベ固定具を構成する固定部材の枠体部の図面であって、同図（Ａ）は概略的正面図、同図（Ｂ）は概略的右側面図、同図（Ｃ）は概略的平面図である。
【図４】本発明の第１の実施の形態に係るガスボンベ固定具を構成する後側支持具の図面であって、同図（Ａ）は概略的正面図、同図（Ｂ）は概略的右側面図、同図（Ｃ）は概略的平面図である。
【図５】本発明の第１の実施の形態に係るガスボンベ固定具を構成する取付手段を示す概略的斜視図  である。
【図６】本発明の第２の実施の形態に係るガスボンベ固定具の概略的斜視図である。
【図７】本発明の第３の実施の形態に係るガスボンベ固定具の概略的斜視図である。
【図８】本発明の第３の実施の形態に係るガスボンベ固定具の図面であって、同図（Ａ）は概略的正面図、同図（Ｂ）は概略的右側面図、同図（Ｃ）は概略的平面図である。
【図９】本発明の第３の実施の形態に係るガスボンベ固定具を構成する段差吸収部のアングルを示す図面であって、同図（Ａ）は概略的正面図、同図（Ｂ）は概略的側面図、同図（Ｃ）は概略的平面図である。
【図１０】本発明の第１、第２及び第３の実施の形態に係るガスボンベ固定具によって固定されるガスボンベの概略的正面図である。
【発明を実施するための形態】
【００１４】
本発明の第１の実施の形態に係るガスボンベ固定具１００Ａは、直立状態の２本のガスボンベＧＢを固定するガスボンベ固定具であって、２本の立設された支柱２００ＡＬ、２００ＡＲと、この支柱２００ＡＬ、２００ＡＲの間に掛け渡された２本の横桟としての上側横桟３００ＡＵ及び下側横桟３００ＡＬと、この上側横桟３００ＡＵ及び下側横桟３００ＡＬに着脱可能に取り付けられる２つの板材からなる枠体部としての上側枠体部４００ＡＵ及び下側枠体部４００ＡＬと、この上側枠体部４００ＡＵ及び下側枠体部４００ＡＬを上側横桟３００ＡＵ及び下側横桟３００ＡＬに着脱可能に取り付ける合計４組の取付手段５００Ａとを有している。
【００１５】
まず、本発明の第１の実施の形態に係るガスボンベ固定具１００Ａの説明の前に、このガスボンベ固定具１００Ａによって固定されるガスボンベＧＢについて、図１０を参照しつつ説明する。
このガスボンベＧＢは、一般的には成形された鋼板又はアルミニウムを溶接して形作られている。かかるガスボンベＧＢは、円筒形状の本体ＧＢ１と、この本体ＧＢ１の下端に設けられる自立のためのスカートＧＢ２と、本体ＧＢ１の上端のネックＧＢ３と、このネック（図示省略）を覆うように本体ＧＢ１に取り付けられるプロテクターＧＢ３を有している。このガスボンベＧＢは、容量の違いによって、高さが約５２０ｍｍの１０ｋｇ型、高さが約９９０ｍｍの２０ｋｇ型、高さが約１４１０〜１４４０ｍｍの５０ｋｇ型とがある。
【００１６】
このようなガスボンベＧＢの固定について、高圧ガス保安協会が定めた『ＬＰガス設備設置基準及び取扱要領』（以下、『設置基準』とする）がある。それによると、５０ｋｇ型のガスボンベＧＢにあっては、ガスボンベＧＢの高さの１／４、３／４の位置に鎖掛けをして固定するように定められている。
【００１７】
本発明の第１の実施の形態に係るガスボンベ固定具１００Ａ、それ自体で自立するようには構成されているが、２本の支柱２００ＡＬ、２００ＡＲの支柱本体２１０ＡＬ、２１０ＡＲを家屋の壁面等に密着させた状態で自立させると、より安定性が向上する。
【００１８】
本発明の第１の実施の形態に係るガスボンベ固定具１００Ａの支柱２００ＡＬ、２００ＡＲは、支柱本体２１０ＡＬ、２１０ＡＲと、この支柱本体２１０ＡＬ、２１０ＡＲの下端に連結された脚部２２０ＡＬ、２２０ＡＲと、この脚部２２０ＡＬ、２２０ＡＲと支柱本体２１０ＡＬ、２１０ＡＲとの間に斜めに掛け渡された筋交い２３０ＡＬ、２３０ＡＲとを有している。
前記支柱本体２１０ＡＬ、２１０ＡＲは、固定するガスボンベＧＢより背高に設定されている。また、この支柱本体２１０ＡＬ、２１０ＡＲは、凹字形状の長尺物であって、対抗した面に取付用開口２１１が等間隔で形開設されている。この取付用開口２１１は、後述する上側横桟３００ＡＵ、下側横桟３００ＡＬ等を取り付けるためのものである。
なお、この支柱本体２１０ＡＬ、２１０ＡＲは１本物であっても、複数を連結させる物であってもかまわない。
【００１９】
また、前記脚部２２０ＡＬ、２２０ＡＲは、支柱本体２１０ＡＬ、２１０ＡＲの下端で支柱本体２１０ＡＬ、２１０ＡＲに対して直交するように連結されている。従って、この脚部２２０ＡＬ、２２０ＡＲと支柱本体２１０ＡＬ、２１０ＡＲとは略Ｌ字形状に組み合わせられていることになる。この脚部２２０ＡＬ、２２０ＡＲがコンクリート等で造られた設置面に接することで、ガスボンベ固定具１００Ａが自立するようになっている。なお、この脚部２２０ＡＬ、２２０ＡＲが突出している方向を正面とする。
さらに、前記筋交い２３０ＡＬ、２３０ＡＲは、ガスボンベ固定具１００Ａ全体の強度を高めるものである。
【００２０】
前記取付開口２１１は、支柱２００ＡＬ、２００ＡＲの支柱本体２１０ＡＬ、２１０ＡＲの間に上側横桟３００ＡＵ及び下側横桟３００ＡＬを掛け渡す際に使用されるものであり、上側横桟３００ＡＵ及び下側横桟３００ＡＬはそれぞれ上側枠体部４００ＡＵ及び下側枠体部４００ＡＬが取り付けられるものである。この取付用開口２１１は、固定すべきガスボンベＧＢの高さ寸法の下から１／４に相当する位置と、３／４に相当する位置とには必ず形成する。これは前記『設置基準』に従ったものである。
なお、この支柱本体２１０ＡＬ、２１０ＡＲにあっては、３／４に相当する位置より上側にも取付用開口２１１が形成されている。この取付用開口２１１は、後述するプレート取付横桟６００Ａを取り付けるためのものである。
【００２１】
前記横桟のうち、上側横桟３００ＡＵは前記３／４に相当する位置に形成された取付用開口２１１によって支柱本体２１０ＡＬ、２１０ＡＲに取り付けられ、下側横桟３００ＡＬは前記１／４に相当する位置に形成された取付用開口２１１によって支柱本体２１０ＡＬ、２１０ＡＲに取り付けられる。
【００２２】
この上側横桟３００ＡＵ及び下側横桟３００ＡＬの中央部には、正面側に突出した略台形状の後側支持具３１０ＡＵ、３１０ＡＬがそれぞれ設けられている。この後側支持具３１０ＡＵ、３１０ＡＬは、密着して隣接する２本のガスボンベＧＢの間に後方から嵌まり込み、ガスボンベＧＢの後方側面に接触するものである。従って、２本のガスボンベＧＢは、互いに接触するだけでなく、上側横桟３００ＡＵ及び下側横桟３００ＡＬや後側支持具３１０ＡＵ、３１０ＡＬ、上側枠体部４００ＡＵ及び下側枠体部４００ＡＬにも接触するようになっている。
【００２３】
前記上側枠体部４００ＡＵは、金属製の帯体を略凹字形状に折曲形成したものであって、直立した２本のガスボンベＧＢを接触させた状態で、２本のガスボンベＧＢのしたから３／４の位置で正面側、右側のガスボンベＧＢの右側面側，左側のガスボンベＧＢの左側面側に接触するように略凹字形状に形成されている。
すなわち、略凹字形状の下端辺に相当する正面辺が２本のガスボンベＧＢの正面側に、略凹字形状の右側辺に相当する右側面辺が右側のガスボンベＧＢの右側面側に、略凹字形状の左側辺に相当する左側面辺が左側のガスボンベＧＢの左側面側にそれぞれ接触することになる。
【００２４】
また、この上側枠体部４００ＡＵの右側面辺と左側面辺の終端には、上側枠体部４００ＡＵを上側横桟３００ＡＵに取り付けるための舌片状の取付片４１０ＡＵが形成されている。この取付片４１０ＡＵは、右側面辺、左側面辺から直交する方向に折曲形成されている。なおこの取付片４１０ＡＵには枠側貫通孔４１１ＡＵが開設されている（図３及び図５参照）。
なお、上記の右側、左側の意は、２本の直立したガスボンベＧＢを正面側から向かって見た場合のものである。
【００２５】
なお、下側枠体部４００ＡＬは、上述した上側枠体部４００ＡＵと同等に構成されている。
【００２６】
このように構成された上側枠体部４００ＡＵ及び下側枠体部４００ＡＬを上側横桟３００ＡＵ及び下側横桟３００ＡＬに取り付ける取付手段５００Ａは、ボルト５１０Ａ及びこれに対応したナット５２０Ａが使用される。
特にナット５２０Ａには、工具を使用することなく手で着脱ができる蝶ナットを使用するとよい。
ボルト５１０Ａは、ねじ部が正面側に向かって突出するように上側横桟３００ＡＵ及び下側横桟３００ＡＬに取り付けられている。
【００２７】
ガスボンベＧＢより上方位置には、支柱２００ＡＬ、２００ＡＲの支柱本体２１０ＡＬ、２１０ＡＲの間に図示しないガスメーターや圧力調整器等の付属機器を取り付けるための２つの機器取付プレート６１０Ａが設置されている。この機器取付プレート６１０Ａは、一対の支柱本体２１０ＡＬ、２１０ＡＲの間に掛け渡された２本のプレート取付横桟６００Ａに取り付けられるようになっている。
【００２８】
また、前記支柱２００ＡＬ、２００ＡＲの上端には、屋根を取り付けることもできる。屋根は特に豪雪地域に適した設備であるので、ガスボンベ固定具１００Ａが設置される地域の特性に応じて取り付けるものとする。
【００２９】
このように構成されたガスボンベ固定具１００ＡによるガスボンベＧＢの交換作業は次のようにして行われる。
向かって右側のガスボンベＧＢを交換するのであれば、右側のガスボンベＧＢをガバナー等から取り外しておく。次に、上側枠体部４００ＡＵ及び下側枠体部４００ＡＬを上側横桟３００ＡＵ及び下側横桟３００ＡＬに取り付けている取付手段５００Ａのうち、向かって右側の取付手段５００Ａのナット５２０Ａを外す。これにより、上側枠体部４００ＡＵ及び下側枠体部４００ＡＬは、上側横桟３００ＡＵ及び下側横桟３００ＡＬに対して左側の取付手段５００Ａのみによって取り付けられていることになる。従って、上側枠体部４００ＡＵ及び下側枠体部４００ＡＬは、左側の取付手段５００Ａを中心として下側に垂れ下がった状態になる。向かって右側のガスボンベＧＢを上側枠体部４００ＡＵ及び下側枠体部４００ＡＬと右側の支柱２００ＡＲとの間の隙間から取り除き、新たなガスボンベＧＢと交換する。
その後、上側枠体部４００ＡＵ及び下側枠体部４００ＡＬを元の位置に戻して向かって右側の取付手段５００Ａで上側枠体部４００ＡＵ及び下側枠体部４００ＡＬを上側横桟３００ＡＵ及び下側横桟３００ＡＬに再度取り付けし、ガバナー等を取り付ける。
【００３０】
取付手段５００Ａのナット５２０Ａには蝶ナットを使用しているので、工具を用いることなく、軍手等をはめた手でもガスボンベＧＢの交換作業を行うことができる。
【００３１】
なお、上述した第１の実施の形態に係るガスボンベ固定具１００Ａは、２本のガスボンベＧＢを固定するとしたが、３本以上のガスボンベＧＢを固定することも可能である。
その場合には、３本の支柱を並立させ、二対４本の横桟で３本の支柱を連結する。４本のガスボンベＧＢを固定する場合には、図１に示す上側横桟３００ＡＵ及び下側横桟３００ＡＬと同等の横桟を４本使用する。また、３本のガスボンベＧＢを固定する場合には、図１に示す上側横桟３００ＡＵ及び下側横桟３００ＡＬと同等のものを２本、長さが半分の短い横桟を２本使用する。
もちろん、固定すべきガスボンベＧＢの数に応じて、枠体部も上側横桟３００ＡＵ及び下側横桟３００ＡＬと同様にする。
【００３２】
上述した第１の実施の形態に係るガスボンベ固定具１００Ａは、上側横桟３００ＡＵ、下側横桟３００ＡＬの中央部に正面側に突出した略台形状の後側支持具３１０ＡＵ、３１０ＡＬをそれぞれ設けていたが、図６に示す第２の実施の形態に係るガスボンベ固定具１００Ｂのように中央部のみならず、ガスボンベＧＢの左右両側に設けるタイプのものもある。
この第２の実施の形態に係るガスボンベ固定具１００Ｂは、図６に示すように、横桟である上側横桟３００ＢＵ及び下側横桟３００ＢＬのそれぞれの中央部に正面側に向かって突出形成された略台形状の中央凸部３１０ＢＵ、３１０ＢＬと、各横桟３００ＢＵ、３００ＢＬの左右両端に正面側に向かって突出形成された略台形状の側方凸部３２０ＢＵ、３２０ＢＬとが形成されている。
【００３３】
前記中央凸部３１０ＢＵ、３１０ＢＬと左右の側方凸部３２０ＢＵ、３２０ＢＬとの間にガスボンベＧＢが入り込むようになっている。
中央凸部３１０ＢＵ、３１０ＢＬの正面側の平坦部には、取付手段５００Ｂを構成するボルト５１０Ｂが取り付けられている。このボルト５１０Ｂは、中央凸部３１０ＢＵ、３１０ＢＬと左右の側方凸部３２０ＢＵ、３２０ＢＬとの間入り込んだガスボンベＧＢの正面側より突出する程度の長さを有している。なお、取付手段５００Ｂを構成するナット５２０Ｂにはこのボルト５１０Ｂに対応した蝶ナットを使用する。
【００３４】
一方、上側及び下側枠体部４００ＢＵ、４００ＢＬは略樋状に形成されており、ガスボンベＧＢの正面を押さえるべくガスボンベＧＢの形状に対応してカーブが形成されている。また、この上側及び下側外枠部４００ＢＵ、４００ＢＬの中央には、前記ボルト５１０Ｂが挿入される中央貫通孔（図示省略）が開設されている。かかる上側及び下側外枠部４００ＢＵ、４００ＢＬは、第１の実施の形態に係るガスボンベ固定具１００ＡのようにガスボンベＧＢ全体を押さえ込むのではなく、正面側のみを押さえ込むようになっている。ガスボンベＧＢの側面は中央凸部３１０ＢＵ、３１０ＢＬと左右の側方凸部３２０ＢＵ、３２０ＢＬとが押さえ込み、ガスボンベＧＢの背面は上側及び下側横桟３００ＢＵ、３００ＢＬが押さえ込むようになっている。
なお、この第２の実施の形態に係るガスボンベ固定具１００Ｂが、第１の実施の形態に係るものと異なる点はこの部分のみがあり、他の点は共通している。
【００３５】
このように構成された第２の実施の形態に係るガスボンベ固定具１００ＢによるガスボンベＧＢの交換作業は次のようにして行われる。
右側、左側いずれのガスボンベＧＢを交換するにしても、上側及び下側外枠部４００ＢＵ、４００ＢＬの中央にあるナット５２０Ｂを緩める。すると、上側及び下側外枠部４００ＢＵ、４００ＢＬはボルト５１０Ｂを中心として回転することができるようになる。上側及び下側外枠部４００ＢＵ、４００ＢＬを回転させて直立状態とすることで上側及び下側外枠部４００ＢＵ、４００ＢＬをガスボンベＧＢから外す。この状態でガスボンベＧＢを交換し、上側及び下側外枠部４００ＢＵ、４００ＢＬを元の状態（水平状態）に戻す。そして、ナット５２０Ｂを締め付けて、２本のガスボンベＧＢを上側及び下側外枠部４００ＢＵ、４００ＢＬで押さえ込む。
この第２の実施の形態に係るガスボンベ固定具１００Ｂであると、ガスボンベＧＢの交換時に、ナット５２０Ｂをボルト５１０Ｂから完全に取り外す必要がないので、ナット５２０Ｂの紛失、上側及び下側外枠部４００ＢＵ、４００ＢＬの落下等の問題は発生しない。
【００３６】
本発明の第３の実施の形態に係るガスボンベ固定具１００Ｃは、直立状態の２本のガスボンベＧＢを固定するガスボンベ固定具であって、壁面に固定される２本の横桟としての上側横桟３００ＣＵ及び下側横桟３００ＣＬと、この上側横桟３００ＣＵ及び下側横桟３００ＣＬに設けられて前記ガスボンベＧＢを固定する固定手段７００とを備えており、前記固定手段７００は、上側横桟３００ＣＵ及び下側横桟３００ＣＬの中央部分で手前側に突出した状態で設けられる後側支持具７１０Ｕ、７１０Ｌと、上側横桟３００ＣＵ及び下側横桟３００ＣＬの両端部で手前側に突出した状態で設けられる一対の端部支持具７２０Ｕ、７２０Ｌと、前記後側支持具７２０Ｕ、７２０Ｌに取付手段７４０で着脱自在に取り付けられる前側支持具７３０Ｕ、７３０Ｌとを有しており、前記後側支持具７１０Ｕ、７１０Ｌは隣接するガスボンベＧＢの間に嵌まり込んで両ガスボンベＧＢの側面を支持し、前記端部支持具７２０Ｕ、７２０ＬはガスボンベＧＢの側面を支持し、前記前側支持具７３０Ｕ、７３０Ｌは隣接するガスボンベＧＢの間に嵌まり込んで両ガスボンベＧＢの側面及び前面を支持するように構成されている。
【００３７】
前記上側横桟３００ＣＵは、図Ａに示すように、断面が略Ｃ字形状になったいわゆるリップ溝形鋼が使用されている。この上側横桟３００ＣＵの底面部には、上側横桟３００ＣＵを壁面Ｗに固定するための長孔が一定間隔で形成されている。
なお、下側横桟３００ＣＬは、上述した上側横桟３００ＣＵと同一のものとなっている。
【００３８】
ガスボンベＧＢを固定する固定手段７００の一部を構成する後側支持具７１０Ｕは、前記上側横桟３００ＣＬにスライド可能に嵌まり込む支持具ベース７１１Ｕと、この支持具ベース７１１Ｕに取り付けられる略台形状の支持体７１２Ｕとを一体としたものである。なお、支持具ベース７１１Ｕと支持体７１２Ｕとはボルト、ナット等の適宜な手段で連結されている。
このように構成された後側支持具７１０Ｕは、支持具ベース７１１Ｕの部分を上側横桟３００ＣＬに横方向から挿入し、適宜な位置（２本のガスボンベＧＢを固定する場合には中央位置）でボルト等によって固定される。
【００３９】
また、固定手段７００の一部を構成する端部支持具７２０Ｕは、前記上側横桟３００ＣＬにスライド可能に嵌まり込む支持具ベース７２１Ｕと、この支持具ベース７２１Ｕに取り付けられる略半台形状の支持体７２２Ｕとを一体としたものである。なお、支持具ベース７２１Ｕと支持体７２２Ｕとはボルト、ナット等の適宜な手段で連結されている。
このように構成された端部支持具７２０Ｕは、支持具ベース７２１Ｕの部分を上側横桟３００ＣＬに横方向から挿入し、適宜な位置（２本のガスボンベＧＢを固定する場合には左右両端）でボルト等によって固定される。
なお、上述したように、後側支持具７１０Ｕ、端部支持具７２０Ｕは、上側横桟３００ＣＵにスライド可能となっているので、壁面Ｗに固定された状態の上側横桟３００ＣＬに取り付けることができる。このため、上側横桟３００ＣＬの壁面Ｗへの固定作業を阻害することがないというメリットを有している。
【００４０】
なお、前記下側横桟３００ＣＬの基本的構成は、上述した上側横桟３００ＣＵと同様になっている。
下側横桟３００ＣＬの特徴的な部分は、図８（Ｂ）に示すように、左右の両端部に壁面Ｗの段差を吸収する段差吸収部８００が設けられている点である。
すなわち、上側横桟３００ＣＵが固定される壁面Ｗ１と、下側横桟３００ＣＬが固定される壁面Ｗ２とが面一ではなく、両壁面Ｗ１、Ｗ２の間に段差Ｇが存在することがある。これは、建築物の基礎部分と、この基礎部分の上に構成される外壁とでは、基礎部分の方が若干凹んだ位置に存在することがあるためである。
【００４１】
かかる段差を吸収するために、下側横桟３００ＣＬの左右両端部には、図９に示す略Ｌ字形状のアングル８１０と、このアングル８１０を下側横桟３００ＣＬに固定するためのボルトからなる段差吸収部８００が設けられる。図９に示すように、アングル８１０の一面８１１には前記ボルトに対応した２つの長孔８１２が、また他の一面８１３には基礎部分（壁面Ｗ２）に固定される際に使用されるボルト孔８１４がそれぞれ開設されている。
前記長孔８１２でのボルトによる固定位置を変更することで、前記段差Ｇを吸収するのである。
【００４２】
前記前側支持具７３０Ｕは、後側支持具７１０Ｕにボルト、ナットからなる取付手段７４０で取り付けられる。この前側支持具７３０Ｕは、略台形状の支持体７３１Ｕと、この支持体７３１Ｕが取り付けられる前側シャフト７３２Ｕとがボルト、ナット等の適宜な手段で連結されたものである。
支持体７３１Ｕは、２本のガスボンベＧＢの間に挿入されて、ガスボンベＧＢの前面側面を支持する。また、前側シャフト４３２Ｕは、ガスボンベＧＢの前面を支持する。
なお、下側横桟３００ＣＬの後側支持具７１０Ｌに取り付けられる前側支持具７３０Ｌは、上述した前側支持具７３０Ｕと同一構成になっている。
なお、前記取付手段７４０を構成するナットを蝶ナットとしておけば、特に工具等を必要としないというメリットがある。
【００４３】
また、上述した上下の後側支持具７１０Ｕ、７１０Ｌは、頂面同士が縦桟９００で連結されている。この縦桟９００で上下の後側支持具７１０Ｕ、７１０Ｌを連結することによって、ガスボンベＧＢを固定する固定手段７００を上下方向で均一にすることができるというメリットがある。特に、この縦桟９００は、前記段差Ｇが存在する場合に有効である。
【００４４】
このように構成されたガスボンベ固定具１００Ｃでは、次のようにしてガスボンベＧＢを固定する。
図７に示すように、上下の前側支持具７３０Ｕ、７３０Ｌの取付手段７４０を緩めておく。この状態でガスボンベＧＢを上下の後側支持具７１０Ｕ、７１０Ｌと、上下の端部支持具７２０Ｕ、７２０Ｌとの間に位置させる。これで、上側横桟３００ＣＵ及び下側横桟３００ＣＬをガスボンベＧＢの後面に接触させ、上下の後側支持具７１０Ｕ、７１０Ｌと上下の端部支持具７２０Ｕ、７２０ＬをガスボンベＧＢの後側側面に接触させる。
【００４５】
この状態から、上下の前側支持具７３０Ｕ、７３０Ｌの前側シャフト７３２Ｕ、７３２Ｌが水平になる固定位置に変位させる。この状態で取付手段７４０を締めて、前側シャフト７３２Ｕ、７３２ＬをガスボンベＧＢの前面に、支持体７３１Ｕ、７３１ＬがガスボンベＧＢの前側側面に接触させる。
これで、ガスボンベＧＢは、後面、側面及び前面が上下にある固定手段７００によって固定されることになる。
【００４６】
ガスボンベ固定具１００ＣからガスボンベＧＢを取り外す際には、取付手段７４０を構成するナットを緩めて、上下の前面シャフト７３２Ｕ、７３２ＬをガスボンベＧＢの前面から外す。すると、これと同時に上下の支持体７３１Ｕ、７３１ＬもガスボンベＧＢの側面から外れる。この状態でガスボンベＧＢをガスボンベ固定具１００Ｃから取り外す。
上述したように、このガスボンベ固定具１００Ｃでは取付手段７４０のナットを緩めるだけで、ガスボンベＧＢの設置、取外しを行なうことができる。特に、ナットに蝶ナットを採用しておけば、スパナ等の工具を使わずともガスボンベＧＢを交換することができる。
【００４７】
上述した第１及び第２の実施の形態に係るガスボンベ固定具１００Ａ、１００Ｂは、支柱２００Ａ、２００Ｂで自立するタイプであるが、この支柱に相当するものを設けることなく、横桟を家屋の壁面等に直接固定するような構成にすることも可能である。
この場合は、第１及び第２の実施の形態に係るガスボンベ固定具１００Ａ、１００Ｂにおける支柱２００ＡＬ、２００ＡＲ、２００ＢＬ、２００ＢＲに関する部材、すなわち支柱本体２１０ＡＬ、２１０ＡＲ、２１０ＢＬ、２１０ＢＲ、脚部２２０ＡＬ、２２０ＡＲ、２２０ＢＬ、２２０ＢＲ及び筋交い２３０ＡＬ、２３０ＡＲ、２３０ＢＬ、２３０ＢＲ、さらにはこれらを連結する連結部材が不要になるので、より低コストで提供することができるというメリットがある。
【００４８】
また、第１の実施の形態に係るガスボンベ固定具１００Ａでは上側及び下側枠体部３００ＡＵ、３００ＡＬに後側支持具３１０ＡＵ、２１０ＡＬを、第２の実施の形態に係るガスボンベ固定具１００Ｂでは上側及び下側枠体部３００ＢＵ、３００ＢＬに中央凸部３１０ＢＵ、３１０ＢＬ及び側方凸部３２０ＢＵ、３２０ＢＬをそれぞれ設けたが、本発明はこれに限定されるものではない。
【００４９】
例えば、横桟に後側支持具に相当するものを、枠体部に中央凸部又は／及び側方凸部に相当するものをそれぞれ設けることも可能である。
【００５０】
なお、上述した第３の実施の形態に係るガスボンベ固定具１００Ｃは、上側横桟３００ＣＵ及び下側横桟３００ＣＬを壁面に固定すると説明したが、壁面Ｗに固定するのではなく、第１の実施の形態に係るガスボンベ固定具１００Ａや第２の実施の形態に係るガスボンベ固定具１００Ｂのように、２本の支柱の間に掛け渡して自立可能とすることも可能であることはいうまでもない。
【符号の説明】
【００５１】
１００Ａ    ガスボンベ固定具
２００ＡＬ  支柱
２００ＡＲ  支柱
３００ＡＵ  上側横桟
３００ＡＬ  下側横桟
４００ＡＵ  上側枠体部
４００ＡＬ  下側枠体部
５００Ａ    取付手段
ＧＢ        ガスボンベ
【図１】
2018040466.tif 000003
【図２】
2018040466.tif 000004
【図３】
2018040466.tif 000005
【図４】
2018040466.tif 000006
【図５】
2018040466.tif 000007
【図６】
2018040466.tif 000008
【図７】
2018040466.tif 000009
【図８】
2018040466.tif 000010
【図９】
2018040466.tif 000011
【図１０】
2018040466.tif 000012